(57)【特許請求の範囲】
【請求項１】
空気を加熱するための加熱器と、加熱器で加熱された空気を吹き出すための送風機と、送風機からカバーの吹き出し口へ温風を導くための送風路とを備えた浴室暖房乾燥機本体を浴室の天井部に設置し、浴室暖房乾燥機本体の下面を覆うようにして天井の下面にカバーを配置された浴室暖房乾燥機において、
前記浴室暖房乾燥機本体の前記カバーに対する相対的な設置高さにかかわらず、浴室から吸気した空気の温度を検知するための温度センサが、カバーに対して所定位置に位置するようにしたことを特徴とする浴室暖房乾燥機。
【請求項２】
空気を加熱するための加熱器と、加熱器で加熱された空気を吹き出すための送風機と、送風機からカバーの吹き出し口へ温風を導くための送風路とを備えた浴室暖房乾燥機本体を浴室の天井部に設置し、浴室暖房乾燥機本体の下面を覆うようにして天井の下面にカバーを配置された浴室暖房乾燥機において、
前記送風路は、前記浴室暖房乾燥機本体のケーシングに対して静止した送風路本体と、該送風路本体に対してスライド自在に配設され前記カバーに当接して位置決めされる送風路摺動部とから構成され、
浴室から吸気した空気の温度を検知する温度センサは、該送風路摺動部もしくは該送風路摺動部と一体に移動する部材に設けられていることを特徴とする浴室暖房乾燥機。
【請求項３】
前記温度センサが設けられているセンサ電装線の取り付け長さを調整可能にしたことを特徴とする、請求項１又は２に記載の浴室暖房乾燥機。
【発明の詳細な説明】
【０００１】
【発明の属する技術分野】
本発明は、浴室暖房乾燥機に関し、具体的には、浴室内を暖房し、また浴室内に吊り下げられた洗濯物等を乾燥させるための天井取付型の浴室暖房乾燥機に関する。
【０００２】
【従来の技術】
温風を吹き出すことによって浴室内を暖房したり、浴室内に吊り下げられた洗濯物等を乾燥させるための浴室暖房乾燥機が従来より使用されている。このような浴室暖房乾燥機には、壁掛け型のものと天井取付型のものとがある。
【０００３】
このうち天井取付型の浴室暖房乾燥機は、浴室暖房乾燥機本体を浴室の天井裏に設置し、浴室暖房乾燥機本体の下面を覆うようにして天井の下面にフロントカバー（化粧カバー）を配置されるものであって、浴室暖房乾燥機本体を天井裏に隠すことができるので、浴室内をすっきりとさせることができる。
【０００４】
このような天井取付型の浴室暖房乾燥機を施工する方法には、浴室ユニットの天井パネルを施工するよりも前に浴室暖房乾燥機本体を天井部分に設置しておく本体先付け方式と、天井パネルの施工後に浴室暖房乾燥機本体を天井部分に設置する本体後付け方式とがある。図１は本体先付け方式で施工された浴室暖房乾燥機１の設置状態を示す断面図である。この方式では、天井パネル２の施工前に浴室暖房乾燥機本体３を天井裏空間４に持ち上げ、天井裏空間４の吊りボルト５によって浴室暖房乾燥機本体３を吊り下げておく。この後、浴室の天井に天井パネル２を施工し、浴室暖房乾燥機本体３の下面に合わせて天井パネル２を開口すると共に天井パネル２の下面にフロントカバー６を取り付けて天井パネル２の開口７を覆っている。
【０００５】
この浴室暖房乾燥機１にあっては、ファン９をモータ駆動すると、ファン９によってフロントカバー６の吸い込み口１０から吸い込まれた浴室内の空気は、熱交換器８を通過することによって熱交換器８を循環する温水と熱交換して加熱され、ファンケーシングを兼ねた送風路１１に導かれてフロントカバー６の吹き出し口１２から温風として吐出される。また、コントローラ収納部１４の外面には、浴室から吸気した空気によって浴室内の室温を検出するための室温センサ（サーミスタ）１５が設けられており、例えば浴室暖房時には、室温センサ１５で検出した室温と暖房設定温度との温度差に応じてファン回転数等を制御する。先付け方式の場合には、天井パネル２の開口７の縁と浴室暖房乾燥機本体３との間の隙間による風損を防止するため、浴室暖房乾燥機本体３の下面外周に設けられたフランジ１３を天井パネル２の上面に当てている。
【０００６】
図２は本体後付け方式で施工された浴室暖房乾燥機１の設置状態を示す断面図である。この方式では、浴室の天井パネル２を開口して該開口７から天井裏空間４へ浴室暖房乾燥機本体３を持ち上げ、吊りボルト５によって浴室暖房乾燥機本体３を吊り下げた後、天井パネル２の下面にフロントカバー６を取り付けて天井パネル２の開口７を覆っている。
【０００７】
この施工方式でも温風を吹き出す構造は同じであるが、後付け方式の場合には、天井パネル２の開口７の縁と浴室暖房乾燥機本体３との間の隙間による風損を防止するため、浴室暖房乾燥機本体３の下面外周に設けられたフランジ１３を天井パネル２の下面に当てている。
【０００８】
【発明が解決しようとする課題】
しかしながら、上記のような浴室暖房乾燥機１にあっては、上記のように浴室暖房乾燥機本体３内のコントローラ収納部１４の外面に室温センサ１５が設けられているので、図１のように先付け方式で浴室暖房乾燥機１が施工された場合と、図２のように後付け方式で施工された場合とでは、室温センサ１５とフロントカバー６との位置関係が異なるため、フロントカバー６の吸い込み口１０から室温センサ１５までの距離が変化し、そのため室温センサ１５が検知する浴室内の温度にバラツキが生じる不具合があった。
【０００９】
本発明は、上記の従来例の問題点に鑑みてなされたものであり、その目的とするところは、先付け、後付けといった浴室暖房乾燥機本体の施工形態の違いに拘わらず、室温センサの室温検知精度を安定させることができる浴室暖房乾燥機を提供することにある。
【００１０】
【発明の開示】
請求項１に記載の浴室暖房乾燥機は、空気を加熱するための加熱器と、加熱器で加熱された空気を吹き出すための送風機と、送風機からカバーの吹き出し口へ温風を導くための送風路とを備えた浴室暖房乾燥機本体を浴室の天井部に設置し、浴室暖房乾燥機本体の下面を覆うようにして天井の下面にカバーを配置された浴室暖房乾燥機において、前記浴室暖房乾燥機本体の前記カバーに対する相対的な設置高さにかかわらず、浴室から吸気した空気の温度を検知するための温度センサが、カバーに対して所定位置に位置するようにしたことを特徴としている。
【００１１】
請求項１の浴室乾燥機によれば、温度センサがカバーに対して所定位置に位置しているので、浴室暖房乾燥機本体の施工形態に拘わらずカバーの吸い込み口から温度センサまでの距離が一定となり、またカバーは浴室の天井に対して一定位置（天井下面）に配置されるので、温度センサは、浴室暖房乾燥機本体の施工形態に拘わらず、浴室に対しても一定位置に配置される。この結果、該温度センサによる室温検出値のバラツキを小さくすることができ、安定した室温検知を行うことができる。
【００１２】
温度センサがカバーに対して一定の高さに位置するようにする方法としては、温度センサをカバーに直接取り付ける方法と、温度センサを浴室暖房乾燥機本体側に設けて温度センサの位置が浴室暖房乾燥機本体の施工形態によって自然調整されるようにする方法とがある。
【００１３】
請求項２に記載の浴室暖房乾燥機は、後者の方法によるものであって、空気を加熱するための加熱器と、加熱器で加熱された空気を吹き出すための送風機と、送風機からカバーの吹き出し口へ温風を導くための送風路とを備えた浴室暖房乾燥機本体を浴室の天井部に設置し、浴室暖房乾燥機本体の下面を覆うようにして天井の下面にカバーを配置された浴室暖房乾燥機において、前記送風路は、前記浴室暖房乾燥機本体のケーシングに対して静止した送風路本体と、該送風路本体に対してスライド自在に配設され前記カバーに当接して位置決めされる送風路摺動部とから構成され、浴室から吸気した空気の温度を検知する温度センサは、該送風路摺動部もしくは該送風路摺動部と一体に移動する部材に設けられていることを特徴としている。
【００１４】
この送風路摺動部は送風路本体に対してスライドし、施工後の状態では、天井部下面に施工されているカバーに当接しているので、この送風路摺動部もしくは送風路摺動部と一体に移動する部材に温度センサを設けることにより、浴室暖房乾燥機本体の施工状態に拘わらず、温度センサを所定位地に施工することができ、安定した室温検知を行える。
【００１５】
コントローラ等は浴室暖房乾燥機本体に設けられているので、温度センサを単純にカバーに設けていると、カバーと浴室暖房乾燥機本体とが温度センサのセンサ電装線によって結ばれる。このため、保守点検時などにカバーを外した際、センサ電装線が引っ張られて断線する恐れがある。これに対し、請求項２の浴室暖房乾燥機のように、温度センサを浴室暖房乾燥機本体側に設けてあれば、浴室暖房乾燥機本体とカバーとがセンサ電装線で結ばれることが無く、保守点検時の妨げになることもない。
【００１６】
また、温度センサをカバーに取り付けている場合でも、上記浴室暖房乾燥機本体に設けられている送風路摺動部とカバーの当接面にそれぞれ接点を設け、施工状態では送風路摺動部の接点とカバーの接点が接触して浴室暖房乾燥機本体側のコントローラとカバー側の温度センサとが電気的に接続される構造としてもよい。このような構造によれば、温度センサをカバーに取り付けていても、浴室暖房乾燥機本体とカバーとがセンサ電装線で結ばれないので、保守点検時などにセンサ電装線が引っ張られて断線する恐れがない。
【００１７】
あるいは、請求項３に記載した浴室暖房乾燥機のように、前記温度センサが設けられているセンサ電装線の取り付け長さを調整可能にしてあれば、温度センサがカバーに取り付けられていて浴室暖房乾燥機本体とカバーがセンサ電装線で結ばれていても、保守点検時などにカバーを取り外してもセンサ電装線が延び、断線しないようにできる。
【００１８】
また、請求項２の浴室暖房乾燥機のように、送風路摺動部または送風路摺動部と一体に移動する部材に温度センサを設けている場合でも、センサ電装線の取り付け長さを調整可能にしてあれば、センサ電装線が垂れ下がったりするのを防止できる。
【００１９】
センサ電装線の取り付け長さを調整可能にする手段としては、リール式でセンサ電装線が巻き取られる構造としてもよく、伸縮自在なコイル型コードを用いてもよい。
【００２０】
【発明の実施の形態】
（第１の実施形態）
図３は本発明の一実施形態による浴室暖房乾燥機２１の断面図、図４は浴室暖房乾燥機２１の下面図である。この浴室暖房乾燥機２１は、主として浴室暖房乾燥機本体２２及びフロントカバー（カバー）２３によって構成されており、浴室暖房乾燥機本体２２にあっては、下面開口したケーシング２４の内部にファン収納部２５が一体に成形され、ケーシング２４の下端部外周にフランジ２７が周設されている。ファン収納部２５の下部には送風路本体２８が取り付けられており、送風路本体２８の外周には送風路摺動部２９がスライド自在に接続され、固定された送風路本体２８とスライド可能な送風路摺動部２９とによって伸縮自在な送風路３０が構成されている。
【００２１】
ファン収納部２５内には、クロスフローファンのような送風ファン３１が取り付けられており、ファン収納部２５の吸引側には折り曲げた１台の熱交換器３２が設けられている。空気を加熱するための手段としては電気ヒーターなどでもよいが、この実施形態では、熱源機から供給される温水を循環させ、温水と浴室から吸引した空気とを熱交換させて空気を加熱する熱交換器３２を用いている。
【００２２】
浴室暖房乾燥機２１は、浴室天井部に設置する関係で、かなりのコンパクト化が要求されるが、コンパクト化しても所定の温風発生能力は必要とされる。そのため、熱交換器３２は１台の熱交換器を屈曲させるように配設してあり、熱交換器３２をコンパクトにしながら熱交換器３２の面積を大きくし、熱交換器３２の熱交換効率を大きくしている。
【００２３】
コントローラ収納部２６内には、浴室暖房乾燥機２１を制御するためのコントローラが納められている。また、図３におけるコントローラ収納部２６の背後には換気装置収納部（図示せず）が設けられており、換気装置収納部内にはシロッコファンとモータによって構成された換気装置が納められている。
【００２４】
図５は上記送風路３０の構造を示す分解斜視図である。送風路本体２８及び送風路摺動部２９は、いずれも横に長い矩形状の開口を有しており、送風路本体２８が送風路摺動部２９内に挿入され、送風路摺動部２９が送風路本体２８に対して上下にスライド自在となっている。送風路摺動部２９には、図３及び図４に示すように風向調整用のルーバー板３７が設けられている。ルーバー板３７は、送風路摺動部２９内の中央部で軸支されており、図５に示すように送風路摺動部２９の外部に固定されたパルスステッピングモータ等からなるルーバーモータ３８で駆動されて傾き（角度）を変更される。
【００２５】
送風路本体２８の両端面からは、水平に支持片３９が延出されており、送風路摺動部２９の両端面にはガイドプレート４１が設けられている。支持片３９の下面にはガイド軸４０が垂設されている。一方、送風路摺動部２９側面のガイドプレート４１には、ガイド軸４０を通すことができる貫通孔４２が開口されており、圧縮バネ４３を通したガイド軸４０の下端部を貫通孔４２に摺動自在に挿通させ、ガイド軸４０の先端にネジ４５でワッシャ４４を固定している。この結果、圧縮バネ４３は支持片３９とガイドプレート４１との間に圧縮した状態で介在させられ、送風路摺動部２９は圧縮バネ４３の弾性によって下方へ突出付勢されると共に上方へ力を加えられると圧縮バネ４３を押し縮めて上方へ移動する。
【００２６】
また、図５に示すように、送風路摺動部２９の一方側面の下部には取付プレート４６が設けられており、取付プレート４６の先端部には、ワイヤレスタイプのリモートコントローラ（図示せず）によって浴室暖房乾燥機２１のオン、オフや送風量、設定温度、送風方向（ルーバー板３７の角度）などを遠隔操作するためのリモコン受信機４７がネジや爪などによって取り付けられている。
【００２７】
図６は上記リモコン受信機４７の構造を示す断面図であって、部品実装面を下にした受信回路基板５２をボックス４９内に納めて封止用樹脂６０で封止し、ボックス４９の下面にシート５７を貼り付けている。受信回路基板５２の片面には受信回路を構成するＩＣ等の回路部品５４が実装され、他方の面にはリモートコントローラからの赤外線信号を受信するための赤外線受光素子５５と信号着信用のブザー５３が実装されている。ボックス４９の下面では、少なくともブザー５３や赤外線受光素子５５に対向する箇所に窓４８が設けられており、窓４８の縁から内側へ向けて当該窓４８を囲むようにして筒状の樹脂止め部５０が延出されている。また、ボックス４９の内面には、樹脂止め部５０と同じ高さの基板支持部５１が突設されている。受信回路基板５２は、ブザー５３等が実装された面を下にして基板支持部５１及び樹脂止め部５０の上に載置され、受信回路基板５２にあけられた孔に通したビス５６を基板支持部５１に螺入して固定されている。ボックス４９内に受信回路基板５２が固定された状態では、受信回路基板５２の下面に設けられているブザー５３と赤外線受光素子５５は、樹脂止め部５０内に納まっている。
【００２８】
樹脂止め部５０の上端が受信回路基板５２の下方に当接してボックス４９内を樹脂止め部５０の内外に仕切っているので、ボックス４９内に受信回路基板５２を取り付けた後、ボックス４９内に封止用樹脂６０をポッティングすると、図６のように封止用樹脂６０は樹脂止め部５０で止められ、ボックス４９内の樹脂止め部５０よりも外側にのみ充填される。よって、ブザー５３及び赤外線受光素子５５以外の回路部品５４は、封止用樹脂６０内に埋め込まれ、受信回路基板５２上に実装されている受信回路が防水性と耐湿性を付与される。一方、ブザー５３と赤外線受光素子５５は、封止用樹脂６０を充填しても封止用樹脂６０内に埋まらず、樹脂止め部５０内でボックス４９下面に露出しているので、リモートコントローラによって下方から投射された赤外線の信号を赤外線受光素子５５によって鋭敏にとらえることができる。
【００２９】
このリモコン受信機４７の外面には、フロントカバー２３の吸い込み口から浴室暖房乾燥機２１内へ吸気した空気の温度を検知して浴室の室温を計測するためのサーミスタからなる室温センサ（温度センサ）３３がナイロンクランプ等でビス止めすることにより固定されている。コントローラ収納部２６内のコントローラと室温センサ３３とはセンサ電装線３４によってつながれている。このセンサ電装線３４の長さは、送風路摺動部２９がもっとも下方まで降りるときの妨げにならないよう、充分な長さを持たせてある。
【００３０】
一方、フロントカバー２３は、図３又は図４に示すように、浴室暖房乾燥機本体２２の送風路３０下端面と対向させて温風吹き出し口６１が設けられ、リモコン受信機４７と対向させてリモコン受信機露出窓６５が設けられている。この温風吹き出し口６１は、送風路３０の下面開口とほぼ一致するように形成されている。さらに、温風吹き出し口６１と隣接して一方には空気を吸い込むための空気吸込み口６２が、他方には換気用吸気口６３が設けられている。空気吸込み口６２はグリル状に形成されており、その上面には着脱自在にフィルタ６４を取り付けられるようになっている。
【００３１】
図３では浴室暖房乾燥機本体２２を先付けした場合の施工状態を表しており、吊りボルト（図示せず）により吊り下げられた浴室暖房乾燥機本体２２のフランジ２７は天井パネル３６の上面に載置され、フロントカバー２３は天井パネル３６の下面に配置されている。また、送風路摺動部２９は下方へ突出して温風吹き出し口６１の縁の上面に当接している。これに対し、図７では浴室暖房乾燥機本体２２を後付けした場合の施工状態を表しており、吊りボルト（図示せず）により吊り下げられた浴室暖房乾燥機本体２２のフランジ２７は天井パネル３６の下面に当接させられ、フロントカバー２３は天井パネル３６の下面に配置されている。また、送風路摺動部２９は上方へ押し上げられて温風吹き出し口６１の縁の上面に当接している。従って、先付け施工されている場合と、後付け施工されている場合とで、室温センサ３３はフロントカバー２３に対して所定位地に位地しており、フロントカバー２３の空気吸込み口６２から室温センサ３３までの距離も施工状態にかかわらず一定となり、室温センサ３３の浴室に対する位地も一定となる。
【００３２】
しかして、この浴室暖房乾燥機２１によれば、換気装置を運転することにより浴室内の湿気を屋外へ排出することができる。
【００３３】
また、送風ファン３１を運転すると、フロントカバー２３の空気吸込み口６２から吸い込まれた空気が、熱交換器３２によって加熱され、熱交換器３２によって加熱された温風が送風路３０を通ってフロントカバー２３の温風吹き出し口６１から吹き出される。従って、入浴時または入浴直前に送風ファン３１を運転して温風吹き出し口６１から浴室内に温風を吐出させることにより、浴室内の暖房を行うことができる。このとき、浴室内の室温は室温センサ３３によって検知されており、コントローラは暖房設定温度と室温との温度差に応じてファンを操作して温風温度を制御する。
【００３４】
また、浴室暖房乾燥機２１の下方に衣類等の洗濯物を吊り下げておけば、浴室暖房乾燥機２１の温風吹き出し口６１から吹き出された温風によって衣類等を乾燥させることができる。この場合も、浴室内の室温は室温センサ３３によって検知されており、コントローラは設定温度と室温との温度差に応じてファンを操作して温風温度を制御する。
【００３５】
さらに、送風路３０には、風向調整用のルーバー板３７を設けているので、衣類等の洗濯物の位置や入浴者の位置に応じてルーバー板３７を駆動することにより、温風の吹き出し方向もリモートコントローラによって自由に変更することができる。
【００３６】
また、この浴室暖房乾燥機２１では、送風路３０が伸縮できるようになっていて送風路摺動部２９が温風吹き出し口６１に向けて付勢されているので、図３のような先付け施工や図７のような後付け施工によって、施工状態で浴室暖房乾燥機本体２２とフロントカバー２３との間の距離が異なっても、送風路摺動部２９の先端がフロントカバー２３の温風吹き出し口６１の縁に当接して送風路３０と温風吹き出し口６１の縁との間に隙間が生じず、送風路３０からの風損を防止して騒音や温風吹き出し量の不足などを低減することができる。
【００３７】
さらに、送風路摺動部２９の先端がフロントカバー２３の温風吹き出し口６１の縁に当接して送風路摺動部２９が位置決めされることで、浴室暖房乾燥機２１が図３のように先付け施工されている場合でも、図７のように後付施工されている場合でも、室温センサ３３はフロントカバー２３に対して常に一定位地に配置される。よって、浴室暖房乾燥機２１の施工状態で、空気吸込み口６２から室温センサ３３までの距離が変動することが無く、室温センサ３３でより安定した室温検知を行えるようになる。
【００３８】
（第２の実施形態）
図８は本発明の別な実施形態による浴室暖房乾燥機における送風路３０とフロントカバー２３の温風吹き出し口６１の部分を示す拡大断面図である。この実施形態にあっては、送風路摺動部２９の下面と温風吹き出し口６１の縁の上面とに、互いに対向させるようにして電極３５ｂ、３５ａを設けている。また、浴室内の室温を検知するための室温センサ３３は、フロントカバー２３の上面に固定されており、電極３５ａと室温センサ３３はセンサ電装線３４ａで接続されている。送風路摺動部２９の下面の電極３５ｂは、センサ電装線３４ｂによってコントローラ収納部２６内のコントローラに接続されている。
【００３９】
このような実施形態では、室温センサ３３がフロントカバー２３に設けられているので、浴室暖房乾燥機本体２２が先付け施工される場合も後付け施工される場合も、室温センサ３３は空気吸込み口６２から一定距離に配置されることになり、室温検知を安定させることができる。しかも、浴室暖房乾燥機本体２２が先付け施工される場合も後付け施工される場合も、送風路摺動部２９が下方へ突出して温風吹き出し口６１の縁に当接することで両電極３５ａ、３５ｂどうしが接触して室温センサ３３とコントローラが接続される。一方、保守点検時などにフロントカバー２３を外すと、センサ電装線３４ａ、３４ｂどうしは電極３５ａ、３５ｂの箇所で分離されるので、センサ電装線３４ａ、３４ｂが断線したりする恐れもなく、保守点検の妨げになることもない。
【００４０】
（第３の実施形態）
本発明の第３の実施形態は、室温３３が設けられているセンサ電装線の取り付け長さを調整可能にするものである。例えば、図９（ａ）に示すように、バネなどの弾性を利用して室温センサ３３側のセンサ電装線３４ａをリール６６に巻き取られるようにし、リール６６を介して室温センサ３３側のセンサ電装線３４ａとコントローラ側のセンサ電装線３４ｂとを接続している。また、図９（ｂ）では、センサ電装線３４として伸縮自在なコイル型コードを用いている。
【００４１】
センサ電装線として、図９（ａ）や図９（ｂ）に示したような構造の取り付け長さが調整可能となったものを用いることにより、室温センサ３３が送風路摺動部２９側に取り付けられている場合であれば、送風路摺動部２９が昇降してもセンサ電装線が延びきったり、弛んだりしなくなる。あるいは、室温センサ３３がフロントカバー２３に取り付けられている場合であれば、フロントカバー２３を外したときに、センサ電装線が引っ張られて切れる恐れが無くなる。
【００４２】
【発明の効果】
請求項１に記載の浴室暖房乾燥機によれば、浴室暖房乾燥機本体の施工形態にかかわらず室温検知用の温度センサを一定高さに設置することができるので、該温度センサによる室温検出値のバラツキを小さくすることができ、安定した室温検知を行うことができる。
【００４３】
請求項２に記載の浴室暖房乾燥機によれば、送風路本体に対してスライドしカバーに当接している送風路摺動部もしくは送風路摺動部と一体に移動する部材に温度センサを設けているので、浴室暖房乾燥機本体の施工状態に拘わらず、温度センサを一定の高さに施工することができ、安定した室温検知を行える。しかも、温度センサを浴室暖房乾燥機本体側に設けているので、浴室暖房乾燥機本体とカバーとがセンサ電装線で結ばれることが無く、保守点検時の妨げになることもない。
【００４４】
請求項３に記載した実施態様では、センサ電装線の取り付け長さを調整可能にしてあるので、温度センサがカバーに取り付けられていて浴室暖房乾燥機本体とカバーがセンサ電装線で結ばれている場合、保守点検時などにカバーを取り外してもセンサ電装線が断線しないようにできる。あるいは、請求項２の浴室暖房乾燥機のように、送風路摺動部または送風路摺動部と一体に移動する部材に温度センサを設けている場合でも、センサ電装線の取り付け長さを調整可能にしてあれば、センサ電装線が垂れ下がったりするのを防止できる。
【図面の簡単な説明】
【図１】浴室の天井に本体先付け方式で施工された従来の浴室暖房乾燥機本体のようすを示す断面図である。
【図２】浴室の天井に本体後付け方式で施工された従来の浴室暖房乾燥機本体のようすを示す断面図である。
【図３】本発明の一実施形態による浴室暖房乾燥機を先付け施工した状態の断面図である。
【図４】同上の浴室暖房乾燥機の下面図である。
【図５】同上の浴室暖房乾燥機における送風路の一部を示す分解斜視図である。
【図６】同上の浴室暖房乾燥機に用いられているリモコン受信機の構造を示す断面図である。
【図７】同上の浴室暖房乾燥機を後付け施工した状態の断面図である。
【図８】本発明の別な実施形態による浴室暖房機の一部を拡大して示す断面図である。
【図９】（ａ）（ｂ）はいずれも本発明のさらに別な実施形態に用いられるセンサ電装線の斜視図である。
【符号の説明】
２２      浴室暖房乾燥機本体
２３      フロントカバー
２６      コントローラ収納部
２８      送風路本体
２９      送風路摺動部
３０      送風路
３３      室温センサ
３４      センサ電装線
３４ａ、３４ｂ      センサ電装線
３５ａ、３５ｂ      電極
３６      天井パネル
６１      温風吹き出し口
６２      空気吸込み口
【図１】
0003640166.tif 000002
【図２】
0003640166.tif 000003
【図３】
0003640166.tif 000004
【図４】
0003640166.tif 000005
【図５】
0003640166.tif 000006
【図６】
0003640166.tif 000007
【図７】
0003640166.tif 000008
【図８】
0003640166.tif 000009
【図９】
0003640166.tif 000010